(57)【要約】      （修正有）【課題】各多面柱体は全体が回転して順序に従い表示板を入れ換えるだけでなく、各表示板も表面と裏面を入れ換えることができ、従来の２〜３倍の数の平面広告を表示することを可能にし、省スペースと高い経済効果いう目的を達成することができる広告看板の提供。【解決手段】複数の回転可能な多面柱体Ａを並べて排列して成り、各多面柱体は複数の細長表示板３０を含み、且つ、異なる多面柱体上の対応する位置の細長表示板に１つの平面広告の一部分をそれぞれ設置し、すべての多面柱体の外側に向いた細長表示板を排列すると１つの完全な平面広告が形成され、さらに、該多面柱体の各細長表示板は表面３１と裏面３２を備え、且つ、細長表示板両端に回転軸を設け、１８０度回転して表面と裏面の位置を入れ換えることができ、各多面柱体が回転して順序に従い外側に表示する表示板を入れ換えるだけでなく、各細長表示板も表面と裏面を入れ換えることを可能にする。【選択図】図３
0003110021.tif 000002
【実用新案登録請求の範囲】
【請求項１】
複数の回転可能な多面柱体を並べて排列して成り、各多面柱体は複数の細長表示板を含み、且つ、異なる多面柱体上の対応する位置の細長表示板に１つの平面広告の一部分をそれぞれ設置し、すべての多面柱体の外側に向いた細長表示板を排列すると１つの完全な平面広告が形成され、さらに、該多面柱体の各細長表示板は表面と裏面を備え、且つ、細長表示板両端に回転軸を設け、１８０度回転して表面と裏面の位置を入れ換えることができ、各多面柱体が回転して順序に従い外側に表示する表示板を入れ換えるだけでなく、各細長表示板も表面と裏面を入れ換えることが可能な広告看板。
【請求項２】
前記多面柱体が三角形柱体である請求項１に記載の広告看板。
【請求項３】
前記各細長表示板の上端に第一回転軸を、下端に第二回転軸をそれぞれ設け、且つ、各組多面柱体の細長表示板に回転可能な上回転盤とした回転盤をそれぞれ設置し、該上回転盤及び下回転盤に複数の軸孔をそれぞれ設け、前記第一回転軸及び第二回転軸と軸支し、該上回転盤及び下回転盤が回転するとき、各細長表示板が該上回転盤及び下回転盤の中心軸の周りを円周を描いて回転する請求項１に記載の広告看板。
【請求項４】
前記下回転盤の中心軸上にウォームホイールを設置し、ウォームシャフトにより上回転盤と下回転盤及び多面柱体を回転させ、一度の回転で１２０度回転させることができる請求項３に記載の広告看板。
【請求項５】
前記各多面柱体にそれぞれ支持片を合わせて設置し、第一回転軸の相対する位置に小歯車をそれぞれ設け、該多面柱体が１２０度回転する過程において、そのうち１つの小歯車が該支持片と噛み合い１８０度回転する請求項３に記載の広告看板。
【考案の詳細な説明】
【技術分野】
【０００１】
本考案は広告看板に関し、詳細には、複数組の広告版面を設置でき、且つ、自動的に表示する広告看板を交換することができ、空間の節約効果があり、さらに広告を出す企業の広告費節約にもつながる、広告看板に関する。
【背景技術】
【０００２】
広告看板は、平面広告で企業イメージや製品を表示することを目的としており、これにより、消費者に該企業または製品に対する印象を深め、購買意欲を向上し、ビジネスチャンスを広げることができる。
【０００３】
平面広告はメーカや企業のビジネスチャンスにプラスの効果があるが、広告により営業損失が生まれるという状況も少なからずあり、その原因は、平面広告は宣伝効果を達しなければならないため、その設置位置は自然に駅や都会の繁華街等の人が集まる場所が最適であり、人々が同じように考えるため、多くの企業が同じ場所に広告を設置したいと希望し、そのような場所の広告看板設置は往々にして場所の確保が難しく、また設置費用も高額となる。このような場合、この製品の販売量が伸び悩むと広告費が損失となってしまう。
【０００４】
上述の状況に鑑みて、広告看板業者は１つの広告看板上に２組の平面広告を設置し、一回に１組の広告を表示して交互に表示することで広告版面を増加するという方法を提供しており、これによりメーカや企業は広告スペースの賃借料とリスクを減らすことができ、業者は２組の平面広告の賃貸料を足すと１組の広告費を超える金額を得ることができ、どちらにとっても有利である。
【０００５】
上述の２組の平面広告を設置・交換表示できる広告看板の構造は、図１に示すように、主に複数の細長い片状の表示板１０を組み合わせて成り、各表示板１０はそれぞれ表面１１及び裏面１２を備え、且つ、縦方向または横方向に並べて排列され、表面１１と裏面１２の両面に完全な平面広告の表示面を形成し、且つ、各表示板１０の長さ方向の両端に回転機構１３をそれぞれ設け、該回転機構１３が表示板１０すべてを回転させると、該表示板１０が表面１１から裏面１２が外側へ向いた状態へと変わり、これにより両面広告の目的を達することができる。
【０００６】
図２に示すように、上述の構造のほか、現在は３つの広告面を入れ換えて表示する広告看板もあり、前述の構造と異なる点は、主に構成部品を複数の三角形柱体２０とした点であり、該三角形柱体２０は３つの表示面を備え、両端に前述同様の回転機構１３が設置され、該回転機構１３は一度に１２０度のみ回転し、これにより３つの表示面を入れ換えて表示し、広告版面を増加する目的を達するものである。
【０００７】
上述の２組または３組の広告版面を入れ換えて表示することが可能な従来の広告看板は、広告版面を増加するという目的を達してはいるものの、駅や駅出口、百貨店前広場等、特に人が集中する場所では、その広告設置場所がやはり不足するため、より多くの広告版面を入れ換えて表示できる広告看板を設計することができれば、これら人気場所での広告スペース不足の問題を解決することができる。
【０００８】
上述に鑑みて、本考案は、考案者の関連産業の製造における長年の実務経験に基づき、広告看板を多面表示の方向に設計するが、この設計の過程において、以下のような次から次へと発生する多くの問題を解決しなければならない。
【０００９】
例えば、広告看板そのものの厚さには限りがあるが、いかに既有の設計を超過せずに、新しい構造体における広告表示版面数に従来の看板を超えさせ、経済価値を生むか、という問題がある。
【００１０】
また、別の例としては、従来の三角形柱体を組み立ての主体として利用する場合、いかにこの三角形柱体に３つ以上の広告版面を表示させるようにするか、という問題がある。
【００１１】
このほか、上述の２つの問題を解決した後、さらに三角形柱体を回転させて広告面を変えるとき、この入れ換え作業において干渉が発生するが、これをいかに解決するかが問題となってくる。
【００１２】
上述のような本考案の設計過程において発生するさまざまな問題点は、本考案者による長時間の絶え間ない研究とコンピュータ模擬テストを経て、ついに克服することができ、本考案の広告看板の研究開発に成功し、同一の広告看板上により多くの平面広告を載せることができ、省スペースという目的を達成することに成功した。
【考案の開示】
【考案が解決しようとする課題】
【００１３】
本考案の主な目的は、複数の回転可能な多面柱体を並べて排列して成り、各多面柱体は複数の細長表示板を含み、且つ、異なる多面柱体上の対応する位置の細長表示板に１つの平面広告の一部分をそれぞれ設置し、すべての多面柱体の外側に向いた細長表示板を排列すると１つの完全な平面広告が形成され、さらに、多面柱体の各細長表示板は表面と裏面の２つの表示面を備え、且つ、細長表示板の適切な位置に回転軸を設け、１８０度回転して表面と裏面の位置を入れ換えることができる。即ち、各多面柱体は全体が回転して順序に従い表示板を入れ換えるだけでなく、各表示板も表面と裏面を入れ換えることができ、２倍の数の平面広告を表示することを可能にし、省スペースという目的を達成することができる、広告看板を提供することにある。
【００１４】
本考案の別の目的は、従来の表示板より多くの広告を表示することができるため、広告看板業者にはより多くの表示スペースを提供し、ビジネスチャンスを創造することができ、また広告主のメーカや企業には、人気の高い場所により低い広告費で広告を出すことを可能にする、経済効果が非常に高い広告看板を提供することにある。
【課題を解決するための手段】
【００１５】
本考案の広告看板は、複数の回転可能な多面柱体を並べて排列して成り、各多面柱体は複数の細長表示板を含み、且つ、異なる多面柱体上の対応する位置の細長表示板に１つの平面広告の一部分をそれぞれ設置し、すべての多面柱体の外側に向いた細長表示板を排列すると１つの完全な平面広告が形成され、さらに、該多面柱体の各細長表示板は表面と裏面を備え、且つ、細長表示板両端に回転軸を設け、１８０度回転して表面と裏面の位置を入れ換えることができ、各多面柱体が回転して順序に従い外側に表示する表示板を入れ換えるだけでなく、各細長表示板も表面と裏面を入れ換えることを可能にすることを特徴とする。
【考案を実施するための最良の形態】
【００１６】
以下、本考案の広告看板の構造について、実施例と図面に基づき詳細に説明する。
【００１７】
図３から図６に示すように、本考案の広告看板は、複数の回転可能な多面柱体Aを並べて排列して成り、各多面柱体Aは複数の細長表示板３０を含み、且つ、異なる多面柱体A上の対応する位置の細長表示板３０に１つの平面広告の一部をそれぞれ設置し、すべての多面柱体A上の外側に向いた面の細長表示板３０を排列して完全な１つの平面広告を形成することができる。このほか、多面柱体Aの各細長表示板３０は、表面３１と裏面３２をそれぞれ備え、且つ、細長表示板３０の適切な位置に第一回転軸３３、第二回転軸３４を設け、１８０度回転して表面３１と裏面３２の位置を入れ換え、各多面柱体Aは全体が回転して順序に従い外側面の表示板３０を入れ換えるほか、各表示板３０もまた表面と裏面を入れ換えることができ、二倍の数の平面広告を表示することができ、スペース節約の効果を達することができる。以下、本考案の実施例についてより具体的に説明する。  
【００１８】
図３及び図４に示すように、本考案の各多面柱体Aの構造はすべて同じであるため、図には1組の多面柱体Aのみを代表として示す。且つ、多面柱体Aは三角形を最良とし、その構造は以下を含む。
【００１９】
３枚の細長表示板３０により三角形の柱体が構成され、且つ、各細長表示板３０はすべて表面３１及び裏面３２を備え、その上端に第一回転軸３３、下端に第二回転軸３４をそれぞれ設け、各細長表示板３０を回転可能にする。
【００２０】
一組の上回転盤４０と下回転盤５０は、前記３枚の細長表示板３０の第一回転軸３３及び第二回転軸３４に相対して設置され、且つ、それぞれ３つの上軸孔４１、下軸孔５１を備え、該上軸孔４１と該第一回転軸３３、下軸孔５１と第二回転軸３４とをそれぞれ軸支し、さらに、該上回転盤４０と下回転盤５０の中心位置に上中心軸４２、下中心軸５２をそれぞれ設け、該上回転盤４０と下回転盤５０を回転可能にすると共に、該上回転盤４０と下回転盤５０が回転するとき、該上回転盤４０と下回転盤５０の中心軸４２、５２の周りを各細長表示板３０が円周を描いて回転する。
【００２１】
前記上回転盤４０と下回転盤５０を動かし回転させる伝動機構６０は、ウォームシャフト６１と各下回転盤５０の下中心軸５２上に設置されたウォームホイール６２を含み、且つ、該ウォームシャフト６１とウォームホイール６２を噛み合わせ、該ウォームホイール６２が１２０度回転するたびに、同時に上回転盤４０と下回転盤５０及び３枚の細長表示板３０から成る三角形柱体Aを同時に動かして回転させ、細長表示板３０の位置を入れ換える。
【００２２】
支持機構７０は、支持片７１及び各第一回転軸３３上に設けた小歯車７２を含み、前記伝動機構６０が三角形柱体Aを回転させるとき、上部に位置する３つの第一回転軸３３と小歯車７２が同時に円周を描いて移動し、且つ、そのうち１つの小歯車７２が該支持片７１と噛み合い、その噛合った接触線に沿って該小歯車７２がちょうど１８０度回転し、細長表示板３０の表面３１と裏面３２の位置が入れ換わり、三角形柱体Aが３６０度回転すると、各小歯車７２それぞれが該支持片７１と噛み合って回転を完了する。
【００２３】
図５に三角形柱体A全体の動作模式を示す（各細長表示板３０の動作模式は後述する）。前述のように、ウォームシャフト６１がウォームホイール６２を回転させるとき、同時に上回転盤４０と下回転盤５０及び三角形柱体Aを回転させ、且つ、該上回転盤４０と下回転盤５０が回転するとき、各細長表示板３０が該上回転盤４０の上中心軸４２と下回転盤５０の下中心軸５２の周りを円周を描いて回転し、このとき、元は外側に位置していた第一表示板３０Aが円周を描きながら右側後方へと動き、左側後方に位置していた第二表示板３０Bが前方向へと動き、三角形柱体Aが１２０度回転するとき、第二表示板３０Bがちょうど前側へ出た状態となり、別の平面広告が形成され、第一表示板３０Aは第三表示板３０Cの位置へ進み、元は右側後方に位置していた第三表示板３０Cが第二表示板３０Bの位置へと進む。言い換えれば、ウォームシャフト６１がウォームホイール６２を１２０度動かすと、三角形柱体は第一表示板３０Aが前側にあった状態から第二表示板３０Bが前側に出た状態へと変わる。
【００２４】
図６に本考案の実際の動作模式を示す。前述のように、３枚の細長表示板３０A、３０B、３０Cが回転しながら１２０度進む過程において（即ち、三角形柱体Aが１２０度回転する過程で）、そのうち１枚の表示板３０Cの小歯車７２が支持片７１と噛み合い、その噛み合った接触線に沿って該小歯車７２が１８０度回転され、該表示板３０Cの表面３１と裏面３２の位置が入れ替わる。このため、図に示す前側の表示板３０Aの表面３１を1つ目の広告とすると、反時計回りに１２０度回転するごとに表示される広告の順序は次のようになる。
【００２５】
１、前側表示板３０Aの表面３１。
２、左側表示板３０Bの表面３１。
３、右側表示板３０Cの表面３１。
４、前側表示板３０Aの裏面３２。
５、左側表示板３０Bの裏面３２。
６、右側表示板３０Cの裏面３２。
７、前側表示板３０Aの表面３１。
【００２６】
以上の例から分かるように、本考案は7回目の回転で1回目の回転と同じ状態となり、即ち、上述の構造によれば、本考案を用いれば少なくとも６つの広告を表示することができ、従来技術の２倍または３倍の数の広告の表示が可能となる。
【００２７】
以上の実施例と図面及び各部品の名称は、本考案の技術内容の説明のためのものであり、本考案の権利範囲を制限するものではなく、例えば伝動機構及び支持機構の設置位置や伝動方法を変えたり、上下の回転盤を左右両側に設置したり、回転盤の形状や数量を変えたり等、本考案の原理に基づき構造に変化を加えたものもすべて本考案の権利範囲に含まれるものとする。
【図面の簡単な説明】
【００２８】
【図１】従来の両面式広告看板を示す立体斜視図である。
【図２】従来の三面式広告看板を示す立体斜視図である。
【図３】本考案の広告看板の立体分解図である。
【図４】本考案の多面柱体と回転盤を組み立てた状態を示す側面図である。
【図５】本考案の回転盤が多面柱体を動かす動作を示す平面模式図である。
【図６】本考案の回転盤が回転するときにおける表示板の偏移回転動作を示す平面模式図である。
【符号の説明】
【００２９】
A        多面柱体
３０      表示板
３１      表面
３２      裏面
３３      第一回転軸
３４      第二回転軸
４０      上回転盤
４１      上軸孔
４２      上中心軸
５０      下回転盤
５１      下軸孔
５２      下中心軸
６０      伝動機構
６１      ウォームシャフト
６２      ウォームホイール
７０      支持機構
７１      支持片
７２      小歯車
【図１】
0003110021.tif 000003
【図２】
0003110021.tif 000004
【図３】
0003110021.tif 000005
【図４】
0003110021.tif 000006
【図５】
0003110021.tif 000007
【図６】
0003110021.tif 000008